(57)【要約】【課題】複数の針を有する仕掛けを、糸の弛みを生じさせることなく巻くことが可能な釣り用仕掛け巻き具を提供する。【解決手段】仕掛け巻き１００は、複数の針１０を収容可能な針収容部１１４と、当該針収容部１１４に収容された各針１０に接続された糸を、張った状態で保持可能な糸保持部１２３とを備える。複数の針を有する仕掛けを巻く際は、先端に一番近い針から、針収容部１１４へセットし、各針に接続された糸（エダス）を、張った状態になるように第一糸保持部１２３に設けられた切れ込みのいずれかに差し込んで、糸止めをする。【選択図】図１
0003182235.tif 000002
【実用新案登録請求の範囲】
【請求項１】
複数の釣り針を収容可能な針収容部と、
当該針収容部に収容された各釣り針に接続された糸を、張った状態で保持可能な糸保持部と
を備え、
当該糸保持部は、釣り用仕掛けを巻き付けるための外周面に設けられている
ことを特徴とする釣り用仕掛け巻き具。
【請求項２】
前記糸保持部によって保持された糸を束ねた状態で保持可能な糸束保持部を更に備える
ことを特徴とする請求項１に記載の釣り用仕掛け巻き具。
【請求項３】
前記糸保持部によって保持された糸の束を収容可能な糸収容部を更に備える
ことを特徴とする請求項１又は２に記載の釣り用仕掛け巻き具。
【請求項４】
前記釣り用仕掛けを複数巻き付けた際の巻順を示すための巻順表示用糸保持部を更に備える
ことを特徴とする請求項１〜３のいずれか一項に記載の釣り用仕掛け巻き具。
【請求項５】
前記釣り用仕掛けの後端部を保持するための端部保持部を更に備え、
当該端部保持部は、内側方向に向かって開くハの字をなすように形成された一対の切れ込みを備える
ことを特徴とする請求項１〜４のいずれか一項に記載の釣り用仕掛け巻き具。
【請求項６】
前記釣り用仕掛け巻き具は、本体部とバンド部とによって構成され、
前記本体部と前記バンド部との間に、前記釣り用仕掛けの端部を押し込んで止めることができる
ことを特徴とする請求項１〜５のいずれか一項に記載の釣り用仕掛け巻き具。
【考案の詳細な説明】
【技術分野】
【０００１】
本考案は、釣り用の仕掛けを持ち運ぶ際等に仕掛けを巻くための仕掛け巻き具に関する。
【背景技術】
【０００２】
釣りに使われる釣り用仕掛け（以下、単に「仕掛け」という）には、対象となる魚の種類や釣り方によって、様々なものが存在する。そのため、仕掛けには、市販品も存在するが、釣り人自らが作製することも多い。このように、仕掛けを釣り人自らが作製する場合は、通常は、自宅等で予め作製しておき、予め作製したものを、釣り場に持って行くことが多い。そして、自宅等で予め作製しておいた仕掛けを、釣り場に持って行く際は、糸や釣り針が絡まるのを防止するため、仕掛け巻きと呼ばれるものに巻き付けられて持ち運ばれることが多い。
【０００３】
ところで、仕掛けの中には、サビキ仕掛けのように、複数の釣り針（以下、単に「針」という）を有するものが存在する。このように複数の針を有する仕掛けでは、各針に糸（ハリス）が接続されていることから、仕掛けが有する糸の数も多くなる。そのため、複数の針を有する仕掛けを、通常の仕掛け巻きに巻き付ける場合、糸の弛みを生じさせずに巻くのは困難であった。そのため、針が外れやすいといった問題や、弛んだ糸が、仕掛け巻きからはみ出して邪魔になるといった問題があった。
【０００４】
なお、実開平２−２０４７７号公報には、釣り仕掛けの巻き取り器であって、巻き取り器本体の側面に、ハリスを通すための切込みを多数付けると共に、巻き取り器の側面の中央付近に、針掛け棒を取り付けたものが記載されている。
【先行技術文献】
【特許文献】
【０００５】
【特許文献１】実開平２−２０４７７号公報
【考案の概要】
【考案が解決しようとする課題】
【０００６】
本考案の目的は、複数の針を有する仕掛けを、糸の弛みを生じさせることなく巻くことが可能な釣り用仕掛け巻き具を提供することにある。
【課題を解決するための手段】
【０００７】
本考案に係る釣り用仕掛け巻き具は、複数の釣り針を収容可能な針収容部と、当該針収容部に収容された各釣り針に接続された糸を、張った状態で保持可能な糸保持部とを備え、当該糸保持部は、釣り用仕掛けを巻き付けるための外周面に設けられていることを特徴とする。
【０００８】
この場合において、前記糸保持部によって保持された糸を束ねた状態で保持可能な糸束保持部を更に備えるようにしてもよい。また、前記糸保持部によって保持された糸の束を収容可能な糸収容部を更に備えるようにしてもよい。
【０００９】
また、以上の場合において、前記釣り用仕掛けを複数巻き付けた際の巻順を示すための巻順表示用糸保持部を更に備えるようにしてもよい。また、前記釣り用仕掛けの後端部を保持するための端部保持部を更に備え、当該端部保持部は、内側方向に向かって開くハの字をなすように形成された一対の切れ込みを備えるようにしてもよい。
【００１０】
また、以上の場合において、前記釣り用仕掛け巻き具は、本体部とバンド部とによって構成され、前記本体部と前記バンド部との間に、前記釣り用仕掛けの端部（例えば、サルカンやスナップ等）を押し込んで止めることができるようにしてもよい。
【考案の効果】
【００１１】
本考案によれば、複数の針を有する仕掛けを、糸の弛みを生じさせることなく巻くことが可能な釣り用仕掛け巻き具を提供することができる。
【図面の簡単な説明】
【００１２】
【図１】本考案による仕掛け巻きの構成を説明するための図である。
【図２】本体部１１０の構成を説明するための図である。
【図３】バンド部１２０の構成を説明するための図である。
【図４】図３（ｂ）の部分拡大図である。
【図５】図４の拡大断面図である。
【図６】複数の針を有する仕掛けの例を示す図である。
【考案を実施するための形態】
【００１３】
以下、本考案の実施の形態について、図面を参照しつつ詳細に説明する。
【００１４】
本考案による釣り用仕掛け巻き（以下、単に「仕掛け巻き」という）は、複数の針を有する仕掛けを、糸の弛みを生じさせることなく巻くことが可能な仕掛け巻きである。
【００１５】
まず、本考案による仕掛け巻きに巻き付けられる複数の針を有する仕掛けについて簡単に説明する。
【００１６】
図６は、複数の針を有する仕掛けの例を示す図である。
【００１７】
同図に示すように、仕掛け６００は、幹となる糸（モトス）６１０と、モトス６１０から枝状に延びる複数（同図の例では３本）の糸（エダス）６２１〜６２３と、エダス６２１〜６２３の先端に接続された複数（同図の例では３本）の針６３１〜６３３と、モトス６１０の先端に接続された先端側スナップ（錘接続用の接続具）６１１と、モトス６１０の後端に接続された後端（道糸）側スナップ６１２とを備える。
【００１８】
次に、同図に示す仕掛け６００を巻き付けることが可能な本考案による仕掛け巻きについて説明する。
【００１９】
図１は、本考案による仕掛け巻きの構成を説明するための図である。同図（ａ）は平面図を示し、同図（ｂ）は正面図を示し、同図（ｃ）は背面図を示す。
【００２０】
同図に示すように、本考案による仕掛け巻き１００は、本体部１１０と、バンド部１２０とによって構成されている。
【００２１】
本体部１１０は、仕掛け巻き１００の基本的な形状を規定する部材であって、概ね直方体状の外形を有しており、バンド部１２０を介して仕掛けが巻き付けられることになる外周面の四隅については、仕掛けを巻き付けた際に、糸に癖が付かないように丸められている。本体部１１０は、適当な強度が得られ、軽量にすることができる材料（例えば、合成樹脂）によって構成される。
【００２２】
同図（ｃ）に示すように、本体部１１０には、針１０を収容するための針収容部１１４が設けられている。本体部１１０の構成の詳細については後述する。
【００２３】
バンド部１２０は、本体部１１０の外周面に装着されて、仕掛けが実際に巻かれる面を構成するものであり、一定の幅を有する細長い帯状の部材の両端を接続して、輪状にしたような形状を有している。バンド部１２０は、仕掛けの糸を傷めない程度の柔軟性を有する材料（例えば、ゴム）によって構成される。
【００２４】
同図（ａ）に示すように、バンド部１２０の表面には、針収容部１１４に収容された針に接続された糸を保持するための糸保持部１２３等が設けられている。バンド部１２０の構成の詳細については後述する。
【００２５】
次に、仕掛け巻き１００を構成する各部の詳細について説明する。
【００２６】
まず、本体部１１０の詳細について説明する。
【００２７】
図２は、本体部１１０の構成を説明するための図である。同図（ａ）は平面図を示し、同図（ｂ）は正面図を示し、同図（ｃ）は背面図を示す。
【００２８】
同図に示すように、本体部１１０は、背面側（同図（ａ）における上側）に張り出し部１１１を備える。当該張り出し部１１１は、本体部１１０の外周面１１２に、バンド部１２０が装着された際に、バンド部１２０が背面側にずれるのを防止するためのものである。なお、張り出し部１１１は、針収容部１１４に収容された針に接続された糸を通すため、針収容部１１４に対応する位置に、切り欠き部１１３が形成されている。
【００２９】
また、前述したように、本体部１１０は、背面側に開口（針挿入口）を有する針収容部１１４を備える。本実施形態においては、４つの針収容部１１４が設けられており、複数の針を有する仕掛けを、４つまで巻くことが可能となっている。
【００３０】
各針収容部１１４は、複数（例えば、３〜５本）の針を重ねて収容できるような深さ（奥行き）を有するような凹部となるように形成されている。また、各針収容部１１４は、本体部１１０の外周面１１２に設けられた矩形状の孔１１５によって、本体部１１０の外周面１１２と連通している。そして、前述した切り欠き部１１３は、当該矩形状の孔１１５に連続するように形成されている。針収容部１１４に収容された針に接続された糸は、当該切り欠き部１１３を通して、張り出し部１１１の背面側から正面側に渡され、矩形状の孔１１５を通るようになる。
【００３１】
針収容部１１４の内部には、当該針収容部１１４の内部に針が収容された際に、針のふところ部に挿入されることになる係合部１１４１が設けられている。係合部１１４１は、平板状の形状を有し、針収容部１１４に針が収容された状態において、当該針に接続された糸が引っ張られた際に、針と当接して、針の動きを規制するためのものである。
【００３２】
また、同図（ａ）に示すように、本体部１１０が外周面１１２には、複数のスナップ用孔１１９が形成されている。本実施形態においては、同図（ａ）に示した面に２つ、図示していない反対側の面（同図（ｂ）における下面）に２つの合計４つのスナップ用孔１１９が形成されている。各スナップ用孔１１９の形状及びサイズは、後述するバンド部１２０に形成されるスナップ用孔と同じになっている。
【００３３】
また、同図（ｂ）に示すように、本体部１１０は、正面側の中央部に、小物収容部１１６を備えている。小物収容部１１６は、開閉可能な蓋１１７を備えている。小物収容部１１６の内部は、例えば、複数の空間に区画されており、予備用の針や錘等の小物を収容可能となっている。また、小物収容部１１６の開閉可能な蓋１１７の表面には、複数（本実施形態では、６つ）の円柱状突起１１８が立設されており、図１（ｂ）に示すように、円柱状突起１１８の間に、電気浮き用の電池２０を保持（挟持）させることができるようになっている。
【００３４】
次に、バンド部１２０の詳細について説明する。
【００３５】
図３〜図５は、バンド部１２０の構成を説明するための図である。図３は、輪状のバンド部１２０を一箇所において切断し、平面上に展開して示したものであり、同図（ａ）は左側面図を示し、同図（ｂ）は正面図を示し、同図（ｃ）は右側面図を示す。また、図４は、図３（ｂ）の部分拡大図を示し、図５（ａ）は図４のＡ−Ａ拡大断面図を示し、図５（ｂ）は図４のＢ−Ｂ拡大断面図を示し、図５（ｃ）は図４のＣ−Ｃ拡大断面図を示し、図５（ｄ）は図４のＤ−Ｄ拡大断面図を示し、図５（ｅ）は図４のＥ−Ｅ拡大断面図を示す。
【００３６】
図３に示すように、バンド部１２０の表面には、複数（本実施形態では４つ）の針用孔１２１ａ〜１２１ｄと、複数（本実施形態では４つ）のスナップ用孔１２２ａ〜１２２ｄと、複数（本実施形態では４つ）の第一糸保持部１２３ａ〜１２３ｄと、複数（本実施形態では４つ）の第二糸保持部１２４ａ〜１２４ｄと、複数（本実施形態では４つ）の糸収容部１２５ａ〜１２５ｄと、複数（本実施形態では４つ）の第三糸保持部１２６ａ〜１２６ｄとが形成されている。本実施形態においては、符合の末尾が一致するもの、例えば、針用孔１２１ａ、スナップ用孔１２２ａ、第一糸保持部１２３ａ、第二糸保持部１２４ａ、糸収容部１２５ａ及び第三糸保持部１２６ａが一組となって、一つの仕掛けを巻く際に利用されることになる。針用孔１２１ａ〜１２１ｄ、スナップ用孔１２２ａ〜１２２ｄ、第一糸保持部１２３ａ〜１２３ｄ、第二糸保持部１２４ａ〜１２４ｄ、糸収容部１２５ａ〜１２５ｄ及び第三糸保持部１２６ａ〜１２６ｄの各組は、各針収容部１１４に対応して設けられており、バンド部１２０全体では、４組が設けられていることになる。
【００３７】
なお、本実施形態においては、スナップ用孔１２２ａ，１２２ｃとスナップ用孔１２２ｂ，１２２ｄとでは、他の構成要素との位置関係が異なっている。これは、バンド部１２０のスナップ用孔１２２ａ〜１２２ｄに対応するように本体部１１０に形成されるスナップ用孔１１９を、便宜的に、図２（ａ）に示すように、本体部１１０の外周面１１２の長辺部分に形成するようにしたためであり、実装条件に応じて、すべてのスナップ用孔１２２ａ〜１２２ｄについて、他の構成要素との位置関係が同じになるようにしてもよい。
【００３８】
また、本実施形態においては、４つの針用孔１２１ａ〜１２１ｄのそれぞれ、４つのスナップ用孔１２２ａ〜１２２ｄのそれぞれ、４つの第一糸保持部１２３ａ〜１２３ｄのそれぞれ、４つの第二糸保持部１２４ａ〜１２４ｄのそれぞれ、４つの糸収容部１２５ａ〜１２５ｄのそれぞれ、及び、４つの第三糸保持部１２６ａ〜１２６ｄのそれぞれは、すべて同一の形状を有するものなので、４つのものについて区別する必要がないときは、適宜、末尾のａ〜ｄを省略した符号を使って参照する（例えば、針用孔１２１等）。
【００３９】
針用孔１２１ａ〜１２１ｄは、矩形状の孔であって、バンド部１２０が本体部１１０の外周面１１２に装着された際、本体部１１０に形成された孔１１５と位置が一致するようになっており、針収容部１１４と連通することになる。すなわち、当該針用孔１２１ａ〜１２１ｄを、針収容部１１４に収容された針に接続された糸（エダス）が通ることになる。また、図３（ａ）に示すように、バンド部１２０の一方（同図（ｂ）における左側）の側壁１２７には、針用孔１２１ａ〜１２１ｄに対応する位置において、矩形状の切り欠き部１２８が形成されている。針収容部１１４に収容された針に接続された糸（エダス）は、本体部１１０に形成された切り欠き部１１３及びバンド部１２０に形成された切り欠き部１２８を通って、背面側から正面側に渡されることになる。
【００４０】
スナップ用孔１２２ａ〜１２２ｄは、先端側スナップを有する仕掛けを巻き付ける際に利用されるものである。スナップ用孔１２２ａ〜１２２ｄは、バンド部１２０が本体部１１０の外周面１１２に装着された際、本体部１１０に形成されたスナップ用孔１１９と位置が一致するようになっている。図４に示すように、スナップ用孔１２２は、概ね矩形状の形状を有し、一つの隅（同図における右下隅）の近くに突出部１２２１を備えている。先端側スナップをスナップ用孔１２２に挿入し、先端側スナップに接続された糸を、突出部１２２１とスナップ用孔１２２の側面とによって形成される係止領域１２２２に導いた上で、先端側スナップに接続された糸を引っ張ると、先端側スナップが、本体部１１０の内周面と当接して、先端側スナップの動きが規制されることになる。
【００４１】
第一糸保持部１２３ａ〜１２３ｄは、主として、針収容部１１４に収容された針に接続された糸を張った状態で保持するためのものであり、図４及び図５（ａ）に示すように、複数（本実施形態では３つ）の切れ込み１２３１を備える。各切れ込み１２３１に糸を差し込むことにより糸が保持されることになる。また、第一糸保持部１２３には、各切れ込み１２３１に糸が差し込まれた際、適宜変形できるように、複数（本実施形態では３つ）の長孔１２３２が形成されている。なお、第一糸保持部１２３ａ及び１２３ｃはそれぞれ、スナップ用孔１２２ａ及び１２２ｃに挿入された先端側スナップに接続された糸を張った状態で保持するためにも使われる。
【００４２】
第二糸保持部１２４ａ〜１２４ｄは、主として、第一糸保持部１２３ａ〜１２３ｄによって保持された糸をまとめて束ねたものを保持するためのもの（糸束保持部）である。第二糸保持部１２４は、第一糸保持部１２３と同様の構造を有するものであり、図４及び図５（ｂ）に示すように、複数（本実施形態では３つ）の切れ込み１２４１と、複数（本実施形態では３つ）の長孔１２４２とを備える。
【００４３】
糸収容部１２５ａ〜１２５ｄは、第二糸保持部１２４ａ〜１２４ｄによって保持された糸の束を収容するためのものであって、図４並びに図５（ｃ）及び（ｄ）に示すように、細長い矩形状の挿入口１２５１を有すると共に、内部に、直方体状の収容空間１２５２を有する。
【００４４】
第三糸保持部１２６ａ〜１２６ｄは、主として、糸収容部１２５ａ〜１２５ｄに収容された糸の束を保持するためのもの（糸束保持部）である。第三糸保持部１２６は、第一糸保持部１２３と同一の構造を有するものであり、図４に示すように、複数（本実施形態では３つ）の切れ込み１２６１と、複数（本実施形態では３つ）の長孔１２６２とを備える。なお、第三糸保持部１２６ａ及び１２６ｃはそれぞれ、スナップ用孔１２２ｂ及び１２２ｄに挿入された先端側スナップに接続された糸を張った状態で保持するためにも使われる。
【００４５】
図４に示すように、仕掛けが巻かれることになるバンド部１２０の表面は、糸保持領域４１０と糸巻き付け領域４２０とに分けられる。糸保持領域４１０は、主として、針が先端に接続された糸（エダス）を保持するために利用される領域である。糸巻き付け領域４２０は、主として、エダスが接続される糸（モトス）を巻き付けるために利用される領域である。
【００４６】
糸保持領域４１０には、前述した針用孔１２１、スナップ用孔１２２、第一糸保持部１２３、第二糸保持部１２４、糸収容部１２５及び第三糸保持部１２６が設けられている。一方、糸巻き付け領域４２０には、主巻取部４３０、巻順表示用糸保持部４４０、端部巻取部４５０及び端部保持部４６０が設けられている。
【００４７】
主巻取部４３０は、主として、仕掛けのモトスが巻き付けられる部分であり、複数の糸支持部４３１が設けられている。図４においては、３個の糸支持部４３１を示しているが、本実施形態では、バンド部１２０全体で１２個の糸支持部４２１１が設けられている。糸支持部４３１は、直方体状の形状を有し、主巻取部４３０に糸が巻き付けられる際、糸に当接して支持するものである。糸支持部４３１によって糸を支持することにより、主巻取部４３０のベース面４３２より高い位置で糸が支持されることになるので、糸にガン玉等が付けられていた場合に、ガン玉等をベース面４３２に位置させるようにすることで、出っ張りが少なく巻くことが可能となる。
【００４８】
巻順表示用糸保持部４４０は、仕掛け巻き１００に複数の仕掛けを巻き付けた際に、仕掛けを巻き付けた順番を示すためのものである。巻順表示用糸保持部４４０は、バンド部１２０の表面上に形成された突条４４１と、当該突条４４１に設けられた複数の切れ込み４４２によって構成される。図４においては、３つの切れ込み４４２を示しているが、本実施形態では、バンド部１２０全体で１２個の切れ込み４４２が設けられている。すなわち、本実施形態においては、最大１２個の仕掛けまで巻いた順番を管理することができるようになっている。また、複数の切れ込み４４２のうち、一番最初に利用を開始する切れ込み４２２については、そのことが分かるような表示（不図示）が適宜されている。巻順表示用糸保持部４４０の使用方法については後述する。
【００４９】
端部巻取部４５０は、仕掛けのモトスの端部（例えば、最後の１周分程度）が巻き付けられる部分である。本実施形態においては、端部巻取部４５０は、巻順表示用糸保持部４４０と端部保持部４６０と間の溝として形成されている。
【００５０】
端部保持部４６０は、端部巻取部４５０に巻き付けられたモトスの端部を保持するためのものである。端部保持部４６０は、バンド部１２０の一方（図４における右側）の端部に設けられた側壁４６１と、当該側壁４６１に設けられた一対の切れ込み４６２，４６３とによって構成されている。一対の切れ込み４６２，４６３は、バンド部１２０の全周にわたって、適当な間隔で複数対が形成されている。図４に示すように、一対の切れ込み４６２，４６３は、バンド部１２０の内側方向に向かって開くハの字をなすように形成されている。端部保持部４６０にモトスの端部を止める際、まず、一方の切れ込み４６２にモトスを差し込んだ上で、側壁４６１の側面を通して、再度、他方の切れ込み４６３にモトスを差し込むようにすることで、モトスの後端が、仕掛け巻き１００の外側にはみ出すのを防止することができる。図５に示すように、モトスが通ることになる側壁４６１の側面には、切れ込み４６２，４６３の深さに合わせて、モトスを通すための溝４６４が形成されている。更に、図５に示すように、側壁４６１の側面下部には、断面においてくさび状の切り欠き部４６５が形成されている。切り欠き部４６５は、仕掛けの後端にスナップ等が接続されていた場合に、切れ込み４６３を使わずに、スナップ等を、本体部１１０（の外周面１１２）とバンド部１２０と間に押し込んで止める際に、押し込みを容易にするためのものである。
【００５１】
次に、以上のような構成を有する仕掛け巻き１００の使用方法について説明する。
【００５２】
まず、仕掛け巻き１００に、図６に示した仕掛け６００を巻き付ける場合について説明する。
【００５３】
仕掛け巻き１００に仕掛け６００を巻き付ける場合、まず、先端側スナップ６１１を、４つあるスナップ用孔１２２ａ〜１２２ｄのいずれかに挿入する。以下では、図４において、上方に位置するスナップ用孔１２２に挿入した場合について説明する。
【００５４】
次に、先端側スナップ６１１に接続された糸を、スナップ用孔１２２内の係止領域１２２２に収容されるように位置させる。そして、先端側スナップ６１１に接続された糸を引っ張り、当該糸が張った状態にて、第一糸保持部１２３に設けられた切れ込み１２３１のいずれかに差し込んで、糸止めをする。なお、先端側スナップ６１１から最初のエダス６２１の結び目までのモトス６１０が長い場合は、糸止めする前に、主巻取部４３０に巻き取るようにしてもよい。
【００５５】
次に、先端側スナップ６１１に一番近い針６３１を対応する針収容部１１４にセットし、針６３１に接続された糸（エダス）６２１を、本体部１１０の切り欠き部１１３及びバンド部１２０の切り欠き部１２８を介して、糸保持領域４１０に導き、針用孔１２１を通るようにする。そして、エダス６２１が張った状態になるように、エダス６２１を引っ張りながら、第一糸保持部１２３に設けられた切れ込み１２３１のいずれかに差し込んで、糸止めをする。この針の針収容部１１４へのセット及びセットされた針に接続された糸（エダス）の糸止めを、残りの針６３２，６３３についても、先端側スナップ６１１に近い方から順番に行っていく。なお、その際、エダス６２１〜６２３や、エダス６２１〜６２３間のモトスが長いときは、第一糸保持部１２３に糸止めする前に、主巻取部４３０に巻き取るようにしてもよい。
【００５６】
以上のようにして、先端側スナップ６１１及び針６３１〜６３３の固定が完了すると、次に、第一糸保持部１２３の後方にできる糸の弛みを束ねて、第二糸保持部１２４に設けられた切れ込み１２４１のいずれかに挿入して糸止めを行う。そして、糸の束を、糸収容部１２５に収容し、更に、第三糸保持部１２６に設けられた切れ込み１２６１のいずれかに挿入して糸止めを行う。なお、第三糸保持部１２６に止めた状態で、まだ糸の束に余りが生じるような場合は、例えば、糸の束をそこで折り返して、再度、第三糸保持部１２６の別の切れ込み１２６１を通して、糸収容部１２５、第二糸保持部１２４の方へ戻して止めるようにする。
【００５７】
以上のようにして、第一糸保持部１２３の後方にできる糸の弛みの処理（固定）が完了すると、次に、道糸側のモトス６１０を、第一糸保持部１２３、第二糸保持部１２４及び第三糸束保持部１２６のいずれかに糸止めした上で、主巻取部４３０に巻き取る。なお、先端側スナップ６１１及び針６３１〜６３３に接続された糸や、第一糸保持部１２３の後方にできる糸の弛みの固定をする際は、内側（図４における右側）の２つの切れ込みを利用し、道糸側のモトス６１０を固定する際は、一番外側（図４における左側）の切れ込みを利用するようにすれば、道糸側のモトス６１０が、束ね止めした糸の上を通るようになるので、束ねた糸が、モトス６１０によって、押さえつけられるようになり、糸の弛みがより確実に止められるようになる。
【００５８】
そして、適当な長さ、例えば、主巻取部４３０の１周分前後を残すまで、モトス６１０の巻き取りが完了したら、巻順表示用糸保持部４４０の適当な切れ込み４４２に差し込んで糸止めを行う。前述したように、巻順表示用止保持部４４０は、複数の仕掛けを巻いた際に、各仕掛けの巻順が分かるようにするためのものである。すなわち、巻順表示用糸保持部４４０は、複数の切れ込み４４２を有しており、当該複数の切れ込み４４２を利用した順番によって、仕掛けを巻いた順番が分かるようになっている。仕掛け巻き１００においては、巻順表示用糸保持部４４０が有する複数の切れ込み４４２を利用する際の順番が分かるような表示が適宜されている。例えば、一番最初に巻かれた仕掛け用の切れ込み４４２付近に、一番最初に巻かれた仕掛け用のものであることが分かるような表示（例えば、「巻き順→」等の表示）がされている。この場合、複数の仕掛けを巻き付ける際は、まず、一番最初に巻かれた仕掛け用のものを利用し、そこから、巻き方向の順番に複数の切れ込み４４２を利用するようにする。例えば、図４において、Ａ−Ａ線の近くに示された切れ込み４４２が一番最初に巻かれた仕掛け用であるとすると、二番目に巻き付けた仕掛けについては、一番最初に巻かれた仕掛け用のものの、巻き付け方向４７０の下流に位置する次の切れ込み４４２、すなわち、Ｃ−Ｃ線の近くに示された切れ込み４４２を利用する。このようにすることで、仕掛けを仕掛け巻き１００から外す際は、巻いた順とは逆の順番で外す必要があるが、本仕掛け巻き１００では、利用した切れ込み４４２の位置によって、仕掛けの巻順が即座に分かるので、外す順についても即座に分かることになる。
【００５９】
最後に、残りのモトス６１０を端部巻取部４５０に巻き、適当な位置において、端部保持部４５０の一対の切れ込みの一方４６２に差し込んで止める。更に、後端側スナップ６１２を、本体部１１０とバンド部１２０との間に、切り欠き部４６５を介して押し込み、止めるようにする。
【００６０】
以上のようにして、仕掛け巻き１００に対する仕掛け６００の巻き付けが完了する。
【００６１】
なお、複数の針を有する仕掛けの中には、モトス６１０の先端部分に、先端用スナップの６１１代わりに、針が接続されているものも存在する。そのような仕掛けを、本仕掛け巻き１００に巻き付ける場合は、スナップ用孔１２２を利用せずに、モトス６１０の先端に接続された針から順番に、針収容部１１４へのセット及びセットされた針に接続された糸の糸止めを行うようにすればよい。
【００６２】
また、上述した仕掛け巻き１００は、１本の針しか有さない仕掛けを巻き付けるためにも利用することができる。
【００６３】
この場合は、まず、針を針収容部１１４にセットした上で、針に接続された糸を、直接、主巻取部４３０に巻き取る。糸にガン玉等がついているときは、主巻取部４３０のベース面４３２にガン玉等がくるようにすれば、出っ張りが少なく巻くことができる
【００６４】
そして、適当な長さ、例えば、主巻取部４３０の１周分前後を残すまで、糸の巻き取りが完了したら、巻順表示用糸保持部４４０の適当な切れ込み４４２に差し込んで糸止めを行う。
【００６５】
最後に、残りの糸を端部巻取部４５０に巻き、適当な位置において、端部保持部４６０の一対の切れ込み４６２，４６３に差し込んで止める。なお、モトスの後端にサルカンやスナップが接続されている場合は、一対の切れ込みの一方４６２に止めた後に、本体部１１０とバンド部１２０との間に押し込んで止める。
【００６６】
仕掛け巻き１００においては、１本の針しか有さない仕掛けについては、一つの針収容部１１４に３本の針をセットするようにすれば、最大で１２個まで巻くことができる。
【００６７】
以上、詳細に説明したように、上述した仕掛け巻き１００は、複数の針を収容可能な針収容部１１４と、当該針収容部１１４に収容された針に接続された糸を張った状態で保持可能な糸保持部１２３とを備えているので、複数の針を有する仕掛けについても、各針に接続された糸を張った状態で、巻くことが可能となる。つまり、各針に接続された糸を弛ませずに仕掛けを巻くことができるので、針に接続された糸の弛みによって針が外れやすくなることを防止することが可能となる。
【００６８】
更に、上述した仕掛け巻き１００は、第一糸保持部１２３の後方にできる糸の弛みを束ねて保持等することが可能な第二糸保持部１２４、糸収容部１２５及び第三糸保持部１２６を備えているので、弛んだ糸が、仕掛け巻き１００からはみ出して邪魔になるといったことを防止することが可能となる。
【００６９】
以上、本考案の実施形態について説明してきたが、当然のことながら、本考案の実施形態は上記のものに限られない。例えば、上述した実施形態においては、針収容部１１４は、針の全体を収容するものであったが、針の先端部分のみを収容するように構成することも考えられる。
【符号の説明】
【００７０】
１０    針
２０    電気浮き用電池
１００    仕掛け巻き
１１０    本体部
１１１    張り出し部
１１２    外周面
１１３    切り欠き部
１１４    針収容部
１１４１    係合部
１１５    孔
１１６    小物収容部
１１７    蓋
１１８    円柱状突起
１１９    スナップ用孔
１２０    バンド部
１２１，１２１ａ〜１２１ｄ    針用孔
１２２，１２２ａ〜１２２ｄ    スナップ用孔
１２２１    突出部
１２２２    係止領域
１２３，１２３ａ〜１２３ｄ    第一糸保持部
１２３１    切れ込み
１２３２    長孔
１２４，１２４ａ〜１２４ｄ    第二糸保持部
１２４１    切れ込み
１２４２    長孔
１２５，１２５ａ〜１２５ｄ    糸収容部
１２５１    挿入口
１２５２    収容空間
１２６，１２６ａ〜１２６ｄ    第三糸保持部
１２６１    切れ込み
１２６２    長孔
１２７    側壁
１２８    切り欠き部
４１０    糸保持領域
４２０    糸巻き付け領域
４３０    主巻取部
４４０    巻順表示用糸保持部
４４１    突条
４４２    切れ込み
４５０    端部巻取部
４６０    端部保持部
４６１    側壁
４６２，４６３    切れ込み
４６４    溝
４６５    切り欠き部
６００    仕掛け
６１０    モトス
６１１    先端側スナップ
６１２    後端側スナップ
６２１〜６２３    エダス
６３１〜６３３    針
【図１】
0003182235.tif 000003
【図２】
0003182235.tif 000004
【図３】
0003182235.tif 000005
【図４】
0003182235.tif 000006
【図５】
0003182235.tif 000007
【図６】
0003182235.tif 000008